(57)【要約】【課題】部材点数や作業工程数を減らして製造コストを削減できる別冊類付き本を提供する。【解決手段】本文１２と、該本文１２の背面１２ｂに接着する表紙部材１３と、本文１２に付属する別冊類１４とを少なくとも備え、該別冊類１４が巻末、巻頭又は本文中に挟んで設けられる別冊類付き本１１であって、別冊類１４の表紙部１５の少なくとも背面１６には、剥離性を有するニス又はインキが印刷されて剥離印刷面１８が形成され、該剥離印刷面１８には、ニス又はインキが不着で小形の不印刷部分１９あるいは針金からなる綴じ部２５が設けられており、当該不印刷部分１９あるいは綴じ部２５が、表紙部材１３の背表紙部２１の内側面に仮接着する。【選択図】図１
2013244711.tif 000002
【特許請求の範囲】
【請求項１】
本文と、該本文の背面に接着する表紙部材と、前記本文に付属する別冊類とを少なくとも備え、該別冊類が巻末、巻頭又は本文中に挟んで設けられる別冊類付き本であって、
前記別冊類の表紙部の少なくとも背面には、剥離性を有するニス又はインキが印刷されて剥離印刷面が形成され、
該剥離印刷面には、前記ニス又はインキが不着で小形の不印刷部分あるいは針金からなる綴じ部が設けられており、
当該不印刷部分あるいは綴じ部が、前記表紙部材の背表紙部の内側面に仮接着すること
を特徴とする別冊類付き本。
【請求項２】
前記別冊類は、前記本文に付属する別冊、小冊子、折畳んだ地図あるいはポスター、付録あるいは付録入り箱物、又は取外し用の紙葉であること
を特徴とする請求項１に記載の別冊類付き本。
【請求項３】
本文と、該本文の背面に接着する表紙部材と、前記本文に付属する別冊類とを少なくとも備え、該別冊類が巻末、巻頭又は本文中に挟んで設けられる別冊類付き本の製本方法であって、
前記別冊類の表紙部の少なくとも背面には、剥離性を有するニス又はインキが印刷されて剥離印刷面が形成され、
該剥離印刷面には、前記ニス又はインキが不着で小形の不印刷部分あるいは針金からなる綴じ部が設けられ、
前記本文と前記別冊類とを揃えて、当該本文の背面及び当該別冊類の背面に背糊を塗布してから、前記表紙部材を被せて、
当該表紙部材の内側面と前記本文の背面とを接着すると共に、前記不印刷部分あるいは綴じ部を前記表紙部材の内側面に仮接着すること
を特徴とする別冊類付き本の製本方法。
【発明の詳細な説明】
【技術分野】
【０００１】
本発明は、別冊、小冊子、折畳んだ地図あるいはポスター、又は付録入り箱物等の別冊類が巻末、巻頭又は本文中に挟んで設けられる別冊類付き本、及び別冊類付き本の製本方法に関するものである。
【背景技術】
【０００２】
従来、この種の本としては、図８に示す構成の小冊子付き本１が知られている。この小冊子付き本１は、問題集等の本文２と、本文２の背面３に接着する表紙部材４と、巻末に挟んで設けられる解答集等の小冊子５と、小冊子５を表紙部材４に仮接着するための見返し部材６と、表紙側の見返し部材７とから構成されており、見返し部材６の折り目には、小孔８が形成されている（特許文献１参照）。
【０００３】
このような構成の小冊子付き本１は、本文２の背面３に塗布する接着剤を見返し部材６の小孔８から小冊子５に浸入させて、本文２と表紙部材４とを接着する際に、小孔８から臨む小冊子５を表紙部材４の背表紙部９の内側面に仮接着するのである。
【０００４】
また、小冊子付き本１の使用者は、使用時において小冊子５をやや強く引っ張ると、仮接着の部分が外れて、見返し部材６から取り外すことができるので、その後は小冊子５を通常通りに使用できる。
【先行技術文献】
【特許文献】
【０００５】
【特許文献１】特公平５−３７８３８号公報
【発明の概要】
【発明が解決しようとする課題】
【０００６】
この従来例の小冊子付き本１においては、小冊子５を表紙部材４に仮接着するための見返し部材６が必要である。また、見返し部材６に小孔８を設ける孔開け加工作業が必要である。更には、見返し部材６を本文２に接着する工程が必要であるという種々の問題点を有している。
【０００７】
従って、従来例における小冊子付き本１においては、見返し部材６を不要にすることで製造コストを下げることと、見返し部材６の孔開け加工作業や、見返し部材６の接着工程を不要にすることで作業工程を削減することとに解決しなければならない課題を有している。
【課題を解決するための手段】
【０００８】
前記従来例の課題を解決するための本発明の要旨は、本文と、該本文の背面に接着する表紙部材と、前記本文に付属する別冊類とを少なくとも備え、該別冊類が巻末、巻頭又は本文中に挟んで設けられる別冊類付き本であって、前記別冊類の表紙部の少なくとも背面には、剥離性を有するニス又はインキが印刷されて剥離印刷面が形成され、該剥離印刷面には、前記ニス又はインキが不着で小形の不印刷部分あるいは針金からなる綴じ部が設けられており、当該不印刷部分あるいは綴じ部が、前記表紙部材の背表紙部の内側面に仮接着することである。
【０００９】
また、前記別冊類は、前記本文に付属する別冊、小冊子、折畳んだ地図あるいはポスター、付録あるいは付録入り箱物、又は取外し用の紙葉であること、；
を含むものである。
【００１０】
更に、本発明の要旨は、本文と、該本文の背面に接着する表紙部材と、前記本文に付属する別冊類とを少なくとも備え、該別冊類が巻末、巻頭又は本文中に挟んで設けられる別冊類付き本の製本方法であって、前記別冊類の表紙部の少なくとも背面には、剥離性を有するニス又はインキが印刷されて剥離印刷面が形成され、該剥離印刷面には、前記ニス又はインキが不着で小形の不印刷部分あるいは針金からなる綴じ部が設けられ、前記本文と前記別冊類とを揃えて、当該本文の背面及び当該別冊類の背面に背糊を塗布してから、前記表紙部材を被せて、当該表紙部材の内側面と前記本文の背面とを接着すると共に、前記不印刷部分あるいは綴じ部を前記表紙部材の内側面に仮接着することである。
【発明の効果】
【００１１】
本発明に係る別冊類付き本によれば、従来例で用いた見返し部材が必要ないので、材料費の点で製造コストを削減できる。また、従来例の見返し部材の孔開け加工作業や、見返し部材の接着工程が必要ないので、作業工程が減少し製造コストが削減できて、ひいては製品の納期を短縮することができる。
更には、剥離性を有するニス又はインキの印刷は、別冊類の表紙部にタイトル等の印刷をする工程時に一緒に行うので、特段に別途の印刷工程や印刷装置を設ける必要がなく、そのため製造コストの上昇を抑えることができるという種々の優れた効果を奏する。
【００１２】
また、別冊類は、本文に付属する別冊、小冊子、折畳んだ地図あるいはポスター、付録あるいは付録入り箱物、又は取外し用の紙葉であることによって、本文に付属する様々なものを適用できるという優れた効果を奏する。
【００１３】
本発明に係る別冊類付き本の製本方法によれば、従来例のような見返し部材の孔開け加工作業や、見返し部材の接着工程が必要ないので、作業工程が減少し製造コストが削減できて、ひいては製品の納期を短縮することができる。また、材料費の点では、従来例で用いた見返し部材が必要ないので、製造コストを削減できる。
更には、剥離性を有するニス又はインキの印刷は、別冊類の表紙部にタイトル等の印刷をする工程時に一緒に行うので、特段に別途の印刷工程や印刷装置を設ける必要がなく、そのため製造コストの上昇を抑えることができるという種々の優れた効果を奏する。
【図面の簡単な説明】
【００１４】
【図１】（Ａ）本発明に係る別冊類付き本１１を、本文１２（折り丁１２ａ）と別冊類１４と表紙部材１３とに分離して示した説明図である。（Ｂ）本発明に係る別冊類付き本１１の斜視図である。
【図２】（Ｃ）別冊類１４を、折り丁１４ａと表紙部１５とに分離して示した説明図である。（Ｄ）別冊類１４の斜視図である。
【図３】別冊類付き本１１から別冊類１４を取り外す状態を示す説明図である。
【図４】背糊塗布工程を示す説明図である。
【図５】（Ｅ）小冊子３１の斜視図である。（Ｆ）小冊子３１の表紙部１５ａの正面図である。
【図６】表紙部１５ａの他の実施例を示す正面図である。
【図７】別冊類１４の他の実施例を示す説明図である。
【図８】従来例に係る小冊子付き本１を分離して示した説明図である。
【発明を実施するための形態】
【００１５】
次に、本発明の実施の形態について図面を参照しながら説明する。本発明は、別冊類付き本、及び別冊類付き本の製本方法であって、図１（Ａ）（Ｂ）に示す別冊類付き本１１は、例えば問題集等の本文１２と、本文１２（折り丁１２ａ）の背面１２ｂに接着する表紙部材１３と、本文１２に付属する解答集等の別冊類１４とを備え、この別冊類１４が巻末に挟んで設けられる。
【００１６】
別冊類１４をより具体的に説明すると、本文１２に付属する別冊、小冊子、折畳んだ地図あるいはポスター、付録あるいは付録入り箱物、又は取外し用の紙葉等であり、要するに、これら例示したもの以外にも、本文１２に付属して巻末、巻頭又は本文中に挟んで設けられる様々なものが含まれる。
【００１７】
別冊類１４の表紙部１５の背面１６、及び当該背面１６に隣接する両方の側端１７には、図１（Ａ）、図２（Ｃ）（Ｄ）に示すように、剥離性を有するニス又はインキが印刷されて剥離印刷面１８が形成される。
【００１８】
剥離性を有するニス又はインキを印刷する側端１７の幅Ｌ１は、本の厚さや大きさ等によっても異なるが、約１０〜２０ｍｍ程度が望ましい（図１（Ａ）、図２（Ｄ）参照）。このように、両方の側端１７に剥離性を有するニス又はインキを印刷する理由は、表紙部材１３を接合したときに、側端１７側にはみ出した背糊２０の接着を防ぐためである。
【００１９】
剥離性を有するニス又はインキの一例としては、剥離ＯＰニス（剥離性を付与したＯＰ（オーバープリント）ニス）が上げられる。この他にも剥離性を有するニス又はインキは、油性ニス、水性ニス、ＵＶニス、ＯＰニス、あるいはグロスニス、マットニス等の従来使用されているニスあるいはインキのうち、糊と接着せずに剥離する性質を有するものが含まれる。
【００２０】
これらの剥離性を有するニス又はインキは、インキを刷るのと同じ印刷機を使用して、インキと同様な手法でニスの印刷が可能である。
【００２１】
剥離印刷面１８には、図２（Ｃ）（Ｄ）に示すように、ニス又はインキが不着の不印刷部分１９が１箇所又は複数箇所に形成されており、この不印刷部分１９は、小形の円形又は楕円形等の適宜の形状に形成される。
【００２２】
この不印刷部分１９が、表紙部材１３の背表紙部２１の内側面に仮接着している。別冊類付き本１１の使用者は、使用時において別冊類１４をやや強く引っ張ると、仮接着の部分が外れて、表紙部材１３の背表紙部２１の内側面から取り外すことができるので（図３参照）、その後は別冊類１４を通常通りに使用できる。
【００２３】
次に、別冊類付き本１１の製本工程について説明する。まず、所定の印刷及び裁断等の前処理がなされた刷り紙を、折り機械で八つ折、あるいは四つ折に折り加工して折り丁を形成し、この折り丁を、丁合機械でページ順に揃えて丁合し、本文１２を形成する（いずれも図示せず）。なお、図１（Ａ）の符号１２ａは、本文１２を形成する折り丁を示す。
【００２４】
一方、別冊類１４は、図２（Ｃ）（Ｄ）に示すように、当該別冊類１４を形成する折り丁１４ａの背面１４ｂに背糊を塗布して、表紙部１５を被せてから、通常のプレス工程を経て形成する。
【００２５】
別冊類１４の表紙部１５には、図２（Ｃ）に示すように、背面１６及び当該背面１６に隣接する両方の側端１７に、予め剥離性を有するニス又はインキを印刷して剥離印刷面１８を形成しておく。また、剥離印刷面１８には、ニス又はインキが不着の不印刷部分１９を形成する。
【００２６】
次に、本文１２（折り丁１２ａ）と別冊類１４とを揃えてから、図４に示すように、通常の背糊塗布工程で本文１２の背面１２ｂ及び別冊類１４の背面１６に背糊２０を塗布する。
この場合、別冊類１４を巻末に挟むときには、当該別冊類１４を巻末部分に位置させて揃え、巻頭に挟む場ときには、当該別冊類１４を巻頭部分に位置させて揃える。また、別冊類１４を本文中に挟むときには、２冊の本文１２同士の間に当該別冊類１４を位置させて揃える。
【００２７】
背糊塗布工程で用いられる糊は、ホットメルト糊やＰＵＲ（反応性ポリウレタン接着剤）等の一般に用いられているものである。なお、図４中の符号２２は糊付けローラを示し、符号２３は糊槽を示す。
【００２８】
続いて、本文１２（折り丁１２ａ）の背面１２ｂ及び別冊類１４の背面１６に、表紙部材１３を被せ（図１（Ａ）参照）、当該表紙部材１３の背表紙部２１の内側面を当接させて、図示しないプレス工程で背中プレスを行い、本文１２の背面１２ｂと表紙部材１３の背表紙部２１とを接着する。
【００２９】
次いで、図示しない三方裁断機械によって、天（上部）と地（下部）と前小口との三方を裁断して、別冊類付き本１１が形成される（図１（Ｂ）参照）。
【００３０】
このようにして形成された別冊類付き本１１は、別冊類１４の表紙部１５に印刷された剥離印刷面１８が、表紙部材１３の背表紙部２１の内側面に接着しない。しかし、剥離印刷面１８に形成された不印刷部分１９が、表紙部材１３の背表紙部２１の内側面に仮接着する。従って、別冊類付き本１１の使用者は、使用時において別冊類１４をやや強く引っ張ると、仮接着の部分（不印刷部分１９）がパチンと外れて、表紙部材１３の内側面から取り外すことができるのである（図３参照）。
【００３１】
なお、仮接着の接着力を強くする場合は、不印刷部分１９（仮接着の部分）の大きさや数を増加すればよい。反対に、仮接着の接着力を弱くする場合は、不印刷部分１９の大きさや数を減少すればよく、このように接着力を自在に調整することができる。
【００３２】
次に、別冊類１４が、針金からなる綴じ部２５が設けられる小冊子３１である場合について説明する。図５（Ｅ）に示すように、表紙部１５ａの中央部２６から１０〜２０ｍｍ程度の幅に剥離印刷面１８を形成してから、図５（Ｆ）に示すように、綴じ部２５を設けて小冊子３１を形成する。
その後、上記の場合と同様に、本文１２と小冊子３１とを揃えて、背面に背糊を塗布し、表紙部材１３を被せて、プレス工程、裁断工程を経て、別冊類付き本１１を形成する（図７参照）。
【００３３】
剥離印刷面１８に上記のような不印刷部分１９を設けない代わりに、針金の綴じ部２５が、表紙部材１３の内側面に仮接着する部位となる。使用者は小冊子３１をやや強く引っ張ると、仮接着の部分（綴じ部２５）がパチンと外れて、表紙部材１３の内側面から取り外すことができる。
【００３４】
なお、綴じ部２５だけでは仮接着の接着力が弱い場合には、図６に示すように、補強用の不印刷部分１９ａを合わせて設ければよい。
【００３５】
別冊類１４が折り加工された地図、ポスター３２である場合について説明する。図７に示すように、地図、ポスター３２の山折り部を表紙部の背面３２ａとして、当該背面３２ａに所定幅の剥離印刷面１８を形成すると共に、不印刷部分１９を設ける。
その後、上記の場合と同様に、本文１２と地図、ポスター３２とを揃えて、背面１２ｂと背面３２ａとに背糊を塗布し、表紙部材１３を被せて、プレス工程、裁断工程を経て、別冊類付き本１１を形成する。
【００３６】
別冊類１４が付録入り箱物３３である場合について説明する。図７に示すように、付録入り箱物３３の一側面を表紙部の背面３３ａとして、当該背面３３ａに剥離印刷面１８を形成すると共に、不印刷部分１９を設ける。
その後、上記の場合と同様に、本文１２と付録入り箱物３３とを揃えて、背面１２ｂと背面３３ａとに背糊を塗布し、表紙部材１３を被せて、プレス工程、裁断工程を経て、別冊類付き本１１を形成する。
【００３７】
別冊類１４が取外し用の紙葉（頁）３４である場合について説明する。図７に示すように、取外し用の紙葉３４の一端側を表紙部の背面３４ａとして、当該背面３４ａに剥離印刷面１８を形成すると共に、不印刷部分１９を設ける。
その後、上記の場合と同様に、本文１２と取外し用の紙葉３４とを揃えて、背面１２ｂと背面３４ａとに背糊を塗布し、表紙部材１３を被せて、プレス工程、裁断工程を経て、別冊類付き本１１を形成する。
【００３８】
以上のように本発明に係る別冊類付き本１１、及び別冊類付き本の製本方法によれば、不印刷部分１９が、表紙部材１３の背表紙部２１の内側面に仮接着するので、別冊類付き本１１の使用者は、使用時において別冊類１４をやや強く引っ張ると、仮接着の部分（不印刷部分１９）がパチンと外れて、表紙部材１３の背表紙部２１の内側面から取り外すことができる。
【００３９】
また、従来例で用いた見返し部材が必要ないので、材料費の点で製造コストを削減できる。そして、従来例の見返し部材の孔開け加工作業や、見返し部材の接着工程が必要ないので、作業工程が減少し製造コストが削減できて、ひいては納期を短縮することが可能である。
【００４０】
更に、剥離性を有するニス又はインキの印刷は、別冊類１４の表紙部１５にタイトル等の印刷をする工程時に一緒に行うので、特段に別途の印刷工程や印刷装置を設ける必要がなく、そのため製造コストの上昇を抑えることができる。
【符号の説明】
【００４１】
１    小冊子付き本
２    本文
３    背面
４    表紙部材
５    小冊子
６    見返し部材
７    表紙側の見返し部材
８    小孔
９    背表紙部
１１  別冊類付き本
１２  本文
１２ａ  折り丁
１２ｂ  背面
１３  表紙部材
１４  別冊類
１４ａ  折り丁
１４ｂ  背面
１５、１５ａ  表紙部
１６  背面
１７  側端
１８  剥離印刷面
１９、１９ａ  不印刷部分
２０  背糊
２１  背表紙部
２２  糊付けローラ
２３  糊槽
２５  綴じ部
２６  中央部
３１  小冊子
３２  折り加工された地図、ポスター
３２ａ  背面
３３  付録入り箱物
３３ａ  背面
３４  取外し用の紙葉（頁）
３４ａ  背面
【図４】
2013244711.tif 000003
【図８】
2013244711.tif 000004
【図１】
2013244711.tif 000005
【図２】
2013244711.tif 000006
【図３】
2013244711.tif 000007
【図５】
2013244711.tif 000008
【図６】
2013244711.tif 000009
【図７】
2013244711.tif 000010